(57)【要約】【課題】設置コストの削減を図った上で、デザインの自由度等を向上させることができる光出射ユニット、取付ベース及び表示装置の提供を目的とする。【解決手段】光を発する出射面を有する導光板３３と、導光板３３における出射面とは反対側の面に設けられ、取付ベース４のベース側取付部１５に着脱可能に取り付けられる導光板側取付部３５と、を備えている。【選択図】図２
2018084639.tif 000002
【特許請求の範囲】
【請求項１】
光を発する出射面を有する光出射体と、
前記光出射体における前記出射面とは反対側の面に設けられ、取付ベースに着脱可能に取り付けられる第１取付部と、を備えていることを特徴とする光出射ユニット。
【請求項２】
前記第１取付部は、面ファスナであることを特徴とする請求項１に記載の光出射ユニット。
【請求項３】
前記第１取付部は、前記取付ベースに形成された凹部に嵌合される凸部であることを特徴とする請求項１に記載の光出射ユニット。
【請求項４】
前記第１取付部は、前記取付ベースに形成された凸部が嵌合される凹部であることを特徴とする請求項１に記載の光出射ユニット。
【請求項５】
前記第１取付部は、前記取付ベースに取り付けられた状態で、前記取付ベース上を前記取付ベースの面内方向に移動可能に支持されていることを特徴とする請求項１に記載の光出射ユニット。
【請求項６】
前記光出射体は、光透過性を有する導光板であり、
前記光出射体には、前記光出射体に向けて光を発する発光部が設けられていることを特徴とする請求項１から請求項５の何れか１項に記載の光出射ユニット。
【請求項７】
前記光出射体における第１側部には、前記発光部を収容する収容溝が形成され、
前記発光部は、前記光出射体における前記第１側部に対向する第２側部に向けて光を発することを特徴とする請求項６に記載の光出射ユニット。
【請求項８】
前記発光部は、
第１発光パターンで発光する複数の発光素子を有する第１素子群と、
前記第１発光パターンとは異なる第２発光パターンで発光する複数の発光素子を有する第２素子群と、を備えていることを特徴とする請求項６又は請求項７に記載の光出射ユニット。
【請求項９】
前記発光部と前記取付ベースに実装された制御ユニットとを接続する配線を備え、
前記配線には、前記取付ベースに着脱可能に取り付けられる配線取付部が設けられていることを特徴とする請求項６から請求項８の何れか１項に記載の光出射ユニット。
【請求項１０】
前記配線は、コネクタを介して前記制御ユニットに接続され、
前記コネクタには、前記取付ベースに着脱可能に取り付けられるコネクタ取付部が設けられていることを特徴とする請求項９に記載の光出射ユニット。
【請求項１１】
前記第１取付部は、光反射性を有していることを特徴とする請求項１から請求項１０の何れか１項に記載の光出射ユニット。
【請求項１２】
前記第１取付部は、光拡散性を有していることを特徴とする請求項１から請求項１１の何れか１項に記載の光出射ユニット。
【請求項１３】
前記光出射体は、可撓性を有していることを特徴とする請求項１から請求項１２の何れか１項に記載の光出射ユニット。
【請求項１４】
取付面を有するベース部と、
前記ベース部の前記取付面に配設され、光出射ユニットが着脱可能に取り付けられる第２取付部と、を備えていることを特徴とする取付ベース。
【請求項１５】
前記第２取付部は、前記ベース部における前記取付面の全体に亘って配設されていることを特徴とする請求項１４に記載の取付ベース。
【請求項１６】
前記ベース部の前記取付面には、前記ベース部上における前記光出射ユニットの位置を判断するためのガイド部が配設されていることを特徴とする請求項１４又は請求項１５に記載の取付ベース。
【請求項１７】
前記ベース部には、前記光出射ユニットから出射される光を発する発光部が電気的に接続されて前記発光部の発光パターンを制御する制御ユニットが搭載されていることを特徴とする請求項１４から請求項１６の何れか１項に記載の取付ベース。
【請求項１８】
前記制御ユニットは、前記発光部への電力供給を選択するスイッチを有していることを特徴とする請求項１７に記載の取付ベース。
【請求項１９】
前記制御ユニットは、前記発光部の発光パターンを選択するスイッチを有していることを特徴とする請求項１７に記載の取付ベース。
【請求項２０】
前記ベース部の外周部分に沿って配設された枠部を備え、
前記枠部には、前記ベース部の内周部分に向けて光を発する発光部が設けられていることを特徴とする請求項１５から請求項１９の何れか１項に記載の取付ベース。
【請求項２１】
請求項１４から請求項２０の何れか１項に記載の取付ベースと、
前記取付ベースに着脱可能に取り付けられる請求項１から請求項１３の何れか１項に記載の光出射ユニットと、を備えていることを特徴とする表示装置。
【請求項２２】
前記光出射ユニットに対して前記取付ベース側とは反対側には、前記光出射ユニットから発せられた光を透過させる光透過部を有する表示部が配置されることを特徴とする請求項２１に記載の表示装置。
【発明の詳細な説明】
【技術分野】
【０００１】
本発明は、光出射ユニット、取付ベース及び表示装置に関するものである。
【背景技術】
【０００２】
従来から、屋内外で広告や展示、案内等を行うものとして、内照式の表示装置が知られている。この種の表示装置は、光出射体が搭載されたベース部と、ベース部を覆うとともに、光出射体から出射された光を透過させる光透過領域を有する表示部と、を備えている（例えば、下記特許文献１参照）。
【０００３】
ここで、下記特許文献２には、表示部を複数の領域に区分するとともに、各領域毎に光出射体をベース部に別々に搭載する構成が開示されている。この構成によれば、光出射体の発光パターン（発光強度や色等）を各領域毎に制御できるとされている。
【先行技術文献】
【特許文献】
【０００４】
【特許文献１】特開２００５−９９４０６号公報
【特許文献２】特開２０１５−９４８５０号公報
【発明の概要】
【発明が解決しようとする課題】
【０００５】
しかしながら、上述した特許文献２に記載の表示装置では、複数の光出射体をベース部上に搭載できるものの、定型品やオーダーメイドによりベース部上における光出射体のレイアウトが予め決定されている。したがって、ベース部上における各光出射体のレイアウトを後から変更することができなかった。そのため、例えば表示部のデザインを変更する場合には、新しい表示部に対応してベース部及び光出射体を改めて用意する必要があり、設置コストの増加に繋がるという課題があった。
【０００６】
また、新しい表示部を既存のベース部及び出射体を用いて表示するには、表示部のデザインを光出射体の既存のレイアウトや発光パターンに合わせる必要があるため、表示部のデザインに制約が生じる。
【０００７】
そこで、本発明は、上記事情に鑑みたものであって、設置コストの削減を図った上で、デザインの自由度等を向上させることができる光出射ユニット、取付ベース及び表示装置の提供を目的とする。
【課題を解決するための手段】
【０００８】
上記の課題を解決するために本発明の一態様に係る光出射ユニットは、光を発する出射面を有する光出射体と、前記光出射体における前記出射面とは反対側の面に設けられ、取付ベースに着脱可能に取り付けられる第１取付部と、を備えている。
【０００９】
本態様によれば、光出射ユニットが取付ベースに着脱可能に取り付けられるため、光出射ユニットの大きさや取付ベース上でのレイアウト等を独立して変更できる。すなわち、光出射ユニットによる照明対象である表示部のデザインを変更した場合であっても、光出射ユニットや取付ベースを再利用することができる。そのため、例えば表示部のデザイン変更に伴い、光出射ユニットや取付ベースの全体を変更する場合に比べて設置コストの削減を図ることができる。
また、表示部のデザインが光出射ユニットの大きさやレイアウト、発光パターン等によって制約されることがないので、表示部のデザインの自由度を向上させることができる。
【００１０】
上記態様において、前記第１取付部は、面ファスナであってもよい。
本態様によれば、簡単、かつ確実に光出射ユニットと取付ベースとの着脱を実現させることができる。
【００１１】
上記態様において、前記第１取付部は、前記取付ベースに形成された凹部に嵌合される凸部であってもよい。
本態様によれば、凹部内に凸部を嵌合させるだけで、光出射ユニットを取付ベースに着脱可能に取り付けることができる。これにより、簡単、かつ確実に光出射ユニットと取付ベースとの着脱を実現させることができる。
【００１２】
上記態様において、前記第１取付部は、前記取付ベースに形成された凸部が嵌合される凹部であってもよい。
本態様によれば、凹部内に凸部を嵌合させるだけで、光出射ユニットを取付ベースに着脱可能に取り付けることができる。これにより、簡単、かつ確実に光出射ユニットと取付ベースとの着脱を実現させることができる。
【００１３】
上記態様において、前記第１取付部は、前記取付ベースに取り付けられた状態で、前記取付ベース上を前記取付ベースの面内方向に移動可能に支持されていてもよい。
本態様によれば、第１取付部が、取付ベースに取り付けられた状態で、取付ベース上を取付ベースの面内方向に移動可能に支持されているので、例えば取付ベース上における光出射ユニットの位置の微調整等を行い易くなる。
【００１４】
上記態様において、前記光出射体は、光透過性を有する導光板であり、前記光出射体には、前記光出射体に向けて光を発する発光部が設けられていてもよい。
本態様によれば、光出射体に発光部が設けられているため、光出射体とは別に（例えば、取付ベース側）発光部を設ける場合に比べて、複数の光出射体の出射面から所望の発光パターンの光を出射させることができる。また、各光出射体それぞれについて発光パターン等を設定でき、デザインの自由度をより向上させることができる。
【００１５】
上記態様において、前記光出射体における第１側部には、前記発光部を収容する収容溝が形成され、前記発光部は、前記光出射体における前記第１側部に対向する第２側部に向けて光を発してもよい。
本態様によれば、光出射体の第１側部に形成された収容溝内に発光部が収容されているため、発光部から出射された光を光出射体内に確実に伝播させることができる。
【００１６】
上記態様において、前記発光部は、第１発光パターンで発光する複数の発光素子を有する第１素子群と、前記第１発光パターンとは異なる第２発光パターンで発光する複数の発光素子を有する第２素子群と、を備えていてもよい。
本態様によれば、各素子群で異なる発光パターン（例えば、発光間隔や強度、発光色、エフェクト等）で発光させることで、より魅力的な表示を行うことができる。
【００１７】
上記態様において、前記発光部と前記取付ベースに実装された制御ユニットとを接続する配線を備え、前記配線には、前記取付ベースに着脱可能に取り付けられる配線取付部が設けられていてもよい。
本態様によれば、配線が取付ベースに着脱可能に構成されているため、取付ベース上で配線を位置決めすることが可能になる。そのため、配線が取付ベースに安定して支持され、配線に不意に過剰な負荷が作用するのを抑制できる。また、例えば配線が光出射体と重なり合うのを抑制でき、光出射体から出射される光が配線によって遮られるのを抑制できる。
【００１８】
上記態様において、前記配線は、コネクタを介して前記制御ユニットに接続され、前記コネクタには、前記取付ベースに着脱可能に取り付けられるコネクタ取付部が設けられていてもよい。
本態様によれば、コネクタが取付ベースに着脱可能に構成されているため、取付ベース上でコネクタを位置決めすることが可能になる。そのため、コネクタが取付ベースに安定して支持され、コネクタに不意に過剰な負荷が作用するのを抑制できる。
【００１９】
上記態様において、前記第１取付部は、光反射性を有していてもよい。
本態様によれば、光出射体内を伝播する光を出射面に向けて導くことができる。また、第１取付部とは別に光反射シートを設ける場合に比べて低コスト化等も図ることができる。
【００２０】
上記態様において、前記第１取付部は、光拡散性を有していてもよい。
本態様によれば、光出射体内を伝播する光を出射面に向けてむらなく導くことができる。また、第１取付部とは別に光拡散シートを設ける場合に比べて低コスト化等も図ることができる。
【００２１】
上記態様において、前記光出射体は、可撓性を有していてもよい。
本態様によれば、光出射体がベース部の取付面に倣って配置されるため、例えばベース部を任意の形状に形成することができる。
【００２２】
本発明の一態様に係る取付ベースは、取付面を有するベース部と、前記ベース部の前記取付面に配設され、光出射ユニットが着脱可能に取り付けられる第２取付部と、を備えている。
本態様によれば、光出射ユニットが第２取付部を介して取付ベースに着脱可能に取り付けられるため、光出射ユニットの大きさや取付ベース上でのレイアウト等を独立して変更できる。すなわち、光出射ユニットによる照明対象である表示部のデザインを変更した場合であっても、光出射ユニットや取付ベースを再利用することができる。そのため、例えば表示部のデザイン変更に伴い、光出射ユニットや取付ベースの全体を変更する場合に比べて設置コストの削減を図ることができる。
また、表示部のデザインが光出射ユニットの大きさやレイアウト、発光パターン等によって制約されることがないので、表示部のデザインの自由度を向上させることができる。
【００２３】
上記態様において、前記第２取付部は、前記ベース部における前記取付面の全体に亘って配設されていてもよい。
本態様によれば、第２取付部がベース部の取付面全体に亘って形成されているため、光出射ユニットのレイアウトの自由度を向上させることができる。
【００２４】
上記態様において、前記ベース部の前記取付面には、前記ベース部上における前記光出射ユニットの位置を判断するためのガイド部が配設されていてもよい。
本態様によれば、ベース部上における光出射ユニットの位置を判断するためのガイド部が付されているため、光出射ユニットを所望の位置に配置し易くなる。
【００２５】
上記態様において、前記ベース部には、前記光出射ユニットから出射される光を発する発光部が電気的に接続されて前記発光部の発光パターンを制御する制御ユニットが搭載されていてもよい。
本態様によれば、取付ベースの外部に制御ユニットを設置する場合に比べて構成の簡素化を図ることができる。
【００２６】
上記態様において、前記制御ユニットは、前記発光部への電力供給を選択するスイッチを有していてもよい。
本態様によれば、コネクタの着脱操作を伴わずに、光出射ユニットのオン、オフの切り替えを行うことができるので、操作性を向上させることができる。
【００２７】
上記態様において、前記制御ユニットは、前記発光部の発光パターンを選択するスイッチを有していてもよい。
本態様によれば、コネクタの着脱操作を伴わずに、光出射ユニットの発光パターンの切り替えを行うことができるので、操作性を向上させることができる。
【００２８】
上記態様において、前記ベース部の外周部分に沿って配設された枠部を備え、前記枠部には、前記ベース部の内周部分に向けて光を発する発光部が設けられていてもよい。
本態様によれば、枠部に発光部を搭載することで、光出射ユニットに発光部を搭載する場合に比べて、取付ベース上における配線の引き回しが容易になる。そのため、配線の引き回し等によって光出射ユニットのレイアウトに制約を受けることがなく、光出射ユニットのレイアウトの自由度を向上させることができる。
また、各光出射ユニットに発光部をそれぞれ搭載する場合に比べて、構成の簡素化や低コスト化を図ることができる。
【００２９】
本発明の一態様に係る表示装置は、上記態様の取付ベースと、前記取付ベースに着脱可能に取り付けられる上記態様の光出射ユニットと、を備えている。
本態様によれば、上記態様に係る光出射ユニット及び取付ベースを備えているため、低コストで、多様な表示を行うことができる商品性の高い表示装置を提供できる。
【００３０】
上記態様において、前記光出射ユニットに対して前記取付ベース側とは反対側には、前記光出射ユニットから発せられた光を透過させる光透過部を有する表示部が配置されてもよい。
本態様によれば、光出射ユニットに対して取付ベース側とは反対側に、光透過部を有する表示部が配置されるので、光出射ユニットから出射された光が光透過部を通って表示装置の外部に出射される。これにより、表示部のうち光透過部のみをあたかも浮かび上がらせた魅力的な画像を表示することができる。
【発明の効果】
【００３１】
本発明の一態様によれば、設置コストの削減を図った上で、デザインの自由度等を向上させることができる。
【図面の簡単な説明】
【００３２】
【図１】第１実施形態に係る表示装置の斜視図である。
【図２】第１実施形態に係る表示装置の分解斜視図である。
【図３】第１実施形態に係る表示装置において、表示部を取り外した状態を示す正面図である。
【図４】図１のＩＶ−ＩＶ線に相当する断面図である。
【図５】図４のＶ部に相当する表示パネルの断面図である。
【図６】第１実施形態に係る表示装置において、表示部を取り外した状態を示す正面図である。
【図７】第１実施形態に係る表示装置において、表示部を取り外した状態を示す正面図である。
【図８】第１実施形態に係る表示装置において、表示部を取り外した状態を示す正面図である。
【図９】第１実施形態の他の構成に係る表示装置において、光出射ユニットを示す正面図である。
【図１０】第１実施形態の他の構成に係る表示装置において、表示部を取り外した状態を示す正面図である。
【図１１】第２実施形態に係る表示装置において、表示部を取り外した状態を示す部分正面図である。
【図１２】図１１のＸＩＩ−ＸＩＩ線に沿う断面図である。
【図１３】図１１のＸＩＩＩ−ＸＩＩＩ線に沿う断面図である。
【図１４】第２実施形態の他の構成に係る表示装置において、図１３に対応する断面図である。
【図１５】第３実施形態に係る表示装置において、表示部を取り外した状態を示す正面図である。
【図１６】第３実施形態の他の構成に係る表示装置において、表示部を取り外した状態を示す正面図である。
【図１７】第４実施形態に係る表示装置を説明するためのブロック図である。
【発明を実施するための形態】
【００３３】
次に、本発明の実施形態を図面に基づいて説明する。
（第１実施形態）
［表示装置］
図１は、実施形態に係る表示装置１の斜視図である。図２は、実施形態に係る表示装置１の分解斜視図である。
図１、図２に示す表示装置１は、いわゆる内照式の表示装置１である。すなわち、表示装置１は、光出射ユニット２（図２参照）から出射された光によって表示部３を内側から照らし出すことで、広告や展示、案内等を行う。
【００３４】
表示装置１は、矩形板状に形成されている。具体的に、表示装置１は、取付ベース４と、取付ベース４に着脱可能に取り付けられた光出射ユニット２と、光出射ユニット２を間に挟んで取付ベース４に積層された表示部３と、を主に備えている。なお、以下の説明では、取付ベース４及び表示部３の積層方向を便宜上、前後方向とし、光出射ユニット２に対して表示部３側を前側（矢印ＦＲ）とする。また、前後方向に直交する２方向をそれぞれ上下方向（矢印ＵＰが上方）及び左右方向（矢印ＬＨが左側）とする。但し、表示装置１の設置方向は、適宜変更が可能である。
【００３５】
＜取付ベース＞
図３は、表示装置１において表示部３を取り外した状態を示す正面図である。図４は、図１のＩＶ−ＩＶ線に相当する断面図である。
図２〜図４に示すように、取付ベース４は、ベース部１１と、スペーサ１２と、額縁部１３と、制御ユニット１４と、ベース側取付部１５と、を主に備えている。
ベース部１１は、前後方向から見た平面視において、左右方向を長手方向とし、上下方向を短手方向とする長方形状に形成された板材である。本実施形態のベース部１１は、樹脂材料（例えばアクリル樹脂等）により形成されている。なお、ベース部１１は、着色や遮光シート等によって遮光性を有していることが好ましい。また、ベース部１１の前面は、反射性等を有していても構わない。
【００３６】
スペーサ１２は、正面視において矩形枠状に形成されている。スペーサ１２は、ベース部１１の前面において、ベース部１１の外周部分に沿って配設されている。図４に示すように、スペーサ１２の外周面は、ベース部１１の外周面と面一になっている。本実施形態のスペーサ１２は、樹脂材料（例えばアクリル樹脂等）により形成されている。なお、スペーサ１２は、上述したベース部１１と同様に、遮光性を有していることが好ましい。
【００３７】
額縁部１３は、正面視において矩形枠状に形成されている。本実施形態の額縁部１３は、樹脂材料（例えばアクリル樹脂等）により形成されている。なお、額縁部１３は、光透過性（透明又は半透明）を有していても構わない。
【００３８】
額縁部１３は、スペーサ１２の前面に配設されている。額縁部１３の内周面は、スペーサ１２の内周面と面一になっている。一方、額縁部１３の外周面は、スペーサ１２の外周面に対して上下方向及び左右方向の外側（取付ベース４における上下方向及び左右方向の中心から離間する方向）に張り出している。本実施形態において、額縁部１３及びスペーサ１２の前後方向における合計厚さは、光出射ユニット２や制御ユニット１４の前後方向における厚さ以上になっている。
【００３９】
制御ユニット１４は、ベース部１１の前面においてスペーサ１２で囲まれた領域に配設されている。本実施形態において、制御ユニット１４は、ベース部１１の前面における上下方向の中央部であって、左右方向における左側端部に配設されている。但し、ベース部１１上における制御ユニット１４の位置は、適宜変更が可能である。
【００４０】
図３に示すように、制御ユニット１４は、配線パターン（不図示）が形成された制御基板２１上に、ＣＰＵ、ＲＡＭ、ＲＯＭ、インターフェース回路等を含む電子回路ユニット（不図示）が実装されて構成されている。制御ユニット１４には、例えばベース部１１に形成された配線挿通口（不図示）を通して表示装置１内に引き込まれた電源配線が接続される。これにより、電源配線（不図示）を通じて外部電源（不図示）から制御ユニット１４に電力が供給される。なお、電源配線における配線挿通口内や配線挿通口の周囲に位置する部分には、電源配線を保護するブーツ等を装着することが好ましい。なお、制御ユニット１４への電力の供給方法は適宜変更が可能である。例えば、制御ユニット１４に搭載された受電部と、表示装置１の外部に設けられた給電部と、の間でワイヤレス給電（Ｑｉ）を行っても構わない。また、表示装置１に搭載されたバッテリから制御ユニット１４に電力が供給される構成であっても構わない。
【００４１】
制御基板２１における外周部分には、接続端子２２が配設されている。接続端子２２は、＋側端子及び−側端子を一組として複数組配設されている。各接続端子２２は、電子回路ユニットに記憶された種々の発光パターンに対応付けられている。本実施形態の接続端子２２は、例えば光出射ユニット２を常時発光させる第１パターン端子２３Ａが１つ、光出射ユニット２を常時発光とは異なる発光パターンで発光させる第２パターン端子２３Ｂ、第３パターン端子２３Ｃ及び第４パターン端子２３Ｄがそれぞれ４つずつ設けられている。なお、本実施形態において、「発光パターン」とは、光出射ユニット２の発光間隔や発光強度（明るさ）、発光色、エフェクト（各光出射ユニット２間での発光タイミング（例えば、フラッシュやシークエンスやフェードイン・フェードアウト等））等を含む。
【００４２】
各パターン端子２３Ａ〜２３Ｄのうち、少なくとも一つのパターン端子（本実施形態では、パターン端子２３Ａ，２３Ｂ）の各接続端子２２には、コネクタ配線２５の第１端部がそれぞれ接続されている。各コネクタ配線２５の第２端部には、メス側コネクタ２６が接続されている。メス側コネクタ２６の後面には、コネクタ取付部（不図示）が配設されている。コネクタ取付部は、例えば面ファスナ（例えばループ側）である。なお、コネクタ配線２５に面ファスナを配設しても構わない。また、全てのパターン端子２３Ａ〜２３Ｄの各接続端子２２にコネクタ配線２５及びメス側コネクタ２６を接続しても構わない。
【００４３】
ベース側取付部１５は、ベース部１１の前面におけるスペーサ１２に囲まれた領域であって、制御ユニット１４以外の領域（以下、単に「取付面」という場合がある。）の全面に配設されている。ベース側取付部１５は、例えば面ファスナである。図４に示すように、ベース側取付部１５は、ベース部１１の取付面に貼り付けられたシート体２７からフック部２８が起立して構成されている。図３に示すように、ベース側取付部１５には、上述したメス側コネクタ２６がコネクタ取付部を介して着脱可能に取り付けられている。本実施形態のベース側取付部１５は、少なくとも光反射性を有していることが好ましく、光拡散性（乱反射性）を有していることがより好ましい。なお、ベース側取付部１５は、取付面上における任意の範囲に形成することが可能である。
ベース側取付部１５のシート体２７には、ベース部１１上における上下左右方向の位置を示すガイド部３１が付されている。本実施形態のガイド部３１は、方眼状（上下方向及び左右方向に複数の罫線が付された構成）に形成されている。但し、ガイド部３１は、上下左右方向の位置を示す構成であれば、適宜変更が可能である。
【００４４】
＜光出射ユニット＞
光出射ユニット２は、面発光可能なパネルである。本実施形態では、サイズの異なる複数の光出射ユニット２が、上述したベース部１１の取付面に着脱可能に取り付けられる。各光出射ユニット２は、導光板（光出射体）３３と、発光モジュール３４と、導光板側取付部３５と、を主に有している。なお、各光出射ユニット２は、導光板３３の大きさ以外はほぼ同様の構成であるため、以下の説明では、一の光出射ユニット２Ａを例にして説明する。
【００４５】
導光板３３は、例えば矩形板状に形成されている。導光板３３は、光透過性を有する材料（例えば、アクリル樹脂等）により形成されている。導光板３３の後面は、例えばシボ加工やドット印刷等の拡散処理が施されている。また、導光板３３の外周面には、導光板の外周面からの光の漏洩を抑制するための反射シート（不図示）等が配設されている。導光板３３の外周部分において、例えば第１側部（図３の例では、下端部）には、導光板３３の前面から後方に向けて窪む収容溝４１が形成されている。収容溝４１は、第１側部の延在方向に沿って延在している。
【００４６】
発光モジュール３４は、発光部４２と、発光部配線４３と、オス側コネクタ４４と、を有している。
発光部４２は、基板４２ａ上に複数の発光素子４２ｂ（例えば、ＬＥＤ）が実装されて構成されている。発光部４２は、上述した収容溝４１内に収容されている。この場合、各発光素子４２ｂは、導光板３３における第１側部に対向する第２側部に向いた状態で、第１側部の延在方向に沿って配列されている。
【００４７】
発光部配線４３は、第１端部が基板４２ａに接続された状態で、基板４２ａから引き出されている。発光部配線４３の第２端部には、オス側コネクタ４４が設けられている。オス側コネクタ４４は、上述した制御ユニット１４のメス側コネクタ２６に着脱可能に装着される。なお、発光部配線４３やオス側コネクタ４４の後面には、配線取付部（不図示）が配設されている。配線取付部は、例えば面ファスナ（ループ側）である。なお、発光部配線４３やオス側コネクタ４４の何れかのみに配線取付部を配設しても構わない。
【００４８】
導光板側取付部３５は、例えば導光板３３の後面において、第１側部及び第２側部同士の両端部同士を架け渡す第３側部及び第４側部（図３の例では、左右両端部）に配設されている。導光板側取付部３５は、例えば面ファスナである。図４に示すように、導光板側取付部３５は、導光板３３の後面に貼り付けられたシート体５１上にループ部５２が形成されて構成されている。導光板側取付部３５は、上述したベース側取付部１５に着脱可能に取り付けられている。本実施形態において、導光板３３の第３側部及び第４側部（導光板側取付部３５が配設された部分）以外の部分において、導光板３３の後面とベース部１１の取付面（ベース側取付部１５）との間には、前後方向に隙間Ｓが形成されている。本実施形態の導光板側取付部３５は、少なくとも光反射性を有していることが好ましく、光拡散性（乱反射性）を有していることがより好ましい。なお、導光板側取付部３５は、導光板３３の後面上における任意の範囲に形成することが可能である。
【００４９】
＜表示部＞
表示部３は、表示パネル５５と、表示パネル５５の前後両側に配置された保護パネル（前側保護パネル５６及び後側保護パネル５７）と、を主に有している。
各保護パネル５６，５７は、光透過性を有する材料（例えば、アクリル樹脂等）により形成されている。各保護パネル５６，５７は、正面視における外形が上述した額縁部１３よりも小さい矩形板状に形成されている。各保護パネル５６，５７は、表示パネル５５を前後両側から挟持している。
【００５０】
図５は、図４のＶ部に相当する表示パネル５５の断面図である。
図５に示すように、表示パネル５５は、基材６１の後面にグラフィック層６２、散乱層６３及び遮光層６４が順次積層されて構成されている。
基材６１は、例えばＰＥＴ等の樹脂材料により形成されている。
グラフィック層６２は、広告等になる文字や画像等がフルカラーで印刷されて構成されている。グラフィック層６２は、光透過性を有している。
【００５１】
散乱層６３は、光出射ユニット２から出射された光を散乱させるためのものである。散乱層６３は、光散乱性を有するインク（例えば乳白色のインク）がグラフィック層６２の全面に印刷されて構成されている。
遮光層６４は、光出射ユニット２から出射された光を遮るためのものである。遮光層６４は、遮光性を有するインク（例えば、黒色）が、散乱層６３の後面において光を透過させる領域以外の部分（例えば、文字以外の部分等）に印刷されて構成されている。図２に示すように、本実施形態の表示パネル５５では、遮光層６４が形成されていない領域（以下、「光透過領域６５」という。）が表示パネル５５の各角部と上下及び左右方向の中央部に設定されている。なお、散乱層６３や遮光層６４は、印刷に限らず、シート状のものを貼り付けても構わない。
【００５２】
図２に示すように、表示部３及び上述した取付ベース４は、前後方向に重ね合わされた状態で、表示部３及び取付ベース４の各角部同士が締結部材６６によって前後方向で締結されている。そして、表示部３及び取付ベース４によって画成された空間は、光出射ユニット２が収容される収容空間となっている。
【００５３】
ここで、本実施形態の光出射ユニット２は、ベース部１１の取付面上において上述した各光透過領域６５と正面視で重なり合う位置に、各光透過領域６５に対応して取り付けられている。したがって、本実施形態の表示装置１において、各光出射ユニット２の発光部４２（発光素子４２ｂ）から第２側部に向けて出射される光は、導光板３３内を伝播する過程で拡散や反射されることで、各導光板３３の前面（光出射面）から前方に出射される（面発光する）。各導光板３３の前面から出射された光は、後側保護パネル５７を透過して表示パネル５５に入射する。表示パネル５５に入射した光は、光透過領域６５を通過する過程で散乱層６３において散乱した後、グラフィック層６２及び基材６１を通過する。基材６１を通過した光は、前側保護パネル５６を通過して表示装置１の前方に出射される。これにより、光透過領域６５があたかも浮かび上がった状態で、表示部３（表示パネル５５）が後方から照らし出される。
【００５４】
以上説明したように、本実施形態では、導光板３３が導光板側取付部３５を介して取付ベース４に着脱可能に取り付けられている構成とした。
この構成によれば、表示部３のデザインに応じて光出射ユニット２の大きさやレイアウト等を独立して変更することができる（例えば、図６や図７等を参照）。すなわち、表示部のデザインを変更した場合であっても、光出射ユニット２や取付ベース４を再利用することができる。そのため、例えば表示部３のデザイン変更に伴い、取付ベース４及び光出射ユニット２の全体を変更する場合に比べて設置コストの削減を図ることができる。
また、表示部３のデザインが光出射ユニット２の大きさやレイアウト、発光パターン等によって制約されることがないので、表示部３のデザインの自由度を向上させることができる。
【００５５】
本実施形態では、導光板側取付部３５に面ファスナを用いることで、簡単、かつ確実に取付ベース４との着脱を実現させることができる。
しかも、導光板側取付部３５が導光板３３の後面における一部に配設されているので、導光板３３の後面における全面に導光板側取付部３５を配設する場合に比べてベース側取付部１５との間で結合力が過剰になるのを抑制できる。そのため、光出射ユニット２の着脱作業を簡単に行うことができる。
また、導光板側取付部３５が導光板３３の後面における対向する側部に沿って配設されているため、導光板３３とベース部１１との間に形成される隙間Ｓに発光部配線４３等を通すことができる。これにより、取付ベース４上における配線の引き回しが容易になり、配線の引き回し等によって光出射ユニット２のレイアウトに制約を受けることがない。そのため、光出射ユニット２のレイアウトの自由度を向上させることができる。
【００５６】
本実施形態では、光出射ユニット２に発光部４２が設けられているため、光出射ユニット２とは別に（例えば、取付ベース４側）発光部を設ける場合に比べて、各導光板３３の前面から所望の発光パターンの光を出射させることができる。また、各導光板３３それぞれについて発光パターン等を設定でき、デザインの自由度をより向上させることができる。
【００５７】
導光板３３内を伝播する光は後方へも出射されるため、後方に出射された光を前方に向けてむらなく反射させて各導光板３３をより明るく均一に発光させるためには導光板側取付部３５及びベース側取付部１５が光反射性や光拡散性を有していることが望ましい。仮に導光板取付部３５及びベース側取付部１５が光反射性や光拡散性を有していない場合には、別途光反射シートや光拡散シートを設ける必要がある。これに対して本実施形態では、導光板側取付部３５及びベース側取付部１５に使用されている面ファスナが光反射性や光拡散性を有しているため、導光板３３内を伝播する光を前方に向けてむらなく導くことができる。そのため、導光板側取付部３５及びベース側取付部１５とは別に光反射シートや光拡散シートを設ける必要が無くなるので低コスト化等も図ることができる。
【００５８】
本実施形態では、導光板３３の第１側部に形成された収容溝４１内に発光部４２が収容されているため、発光部４２から出射された光を導光板３３内に確実に伝播させることができる。
【００５９】
本実施形態では、発光部配線４３やオス側コネクタ４４が取付ベース４に着脱可能に構成されているため、取付ベース４上で発光部配線４３やオス側コネクタ４４を位置決めすることが可能になる。そのため、発光部配線４３やオス側コネクタ４４が取付ベース４に安定して支持され、発光部配線４３やオス側コネクタ４４に不意に過剰な負荷が作用するのを抑制できる。また、例えば発光部配線４３が導光板３３の前方に配置される等して、導光板３３から出射される光が発光部配線４３によって遮られるのを抑制できる。
【００６０】
本実施形態の取付ベース４では、光出射ユニット２が着脱可能に取り付けられるベース側取付部１５を備える構成とした。
この構成によれば、表示部３のデザインに応じて光出射ユニット２の大きさやレイアウト等を独立して変更することができる。すなわち、表示部のデザインを変更した場合であっても、光出射ユニット２や取付ベース４を再利用することができる。そのため、例えば表示部３のデザイン変更に伴い、取付ベース４及び光出射ユニット２の全体を変更する場合に比べて設置コストの削減を図ることができる。
また、表示部３のデザインが光出射ユニット２の大きさやレイアウト、発光パターン等によって制約されることがないので、表示部３のデザインの自由度を向上させることができる。
【００６１】
本実施形態では、ベース側取付部１５がベース部１１の取付面全体に亘って形成されているため、光出射ユニット２のレイアウトの自由度を向上させることができる。
【００６２】
本実施形態では、ベース部１１上における光出射ユニット２の位置を判断するためのガイド部３１が付されているため、光出射ユニット２を所望の位置に配置し易くなる。
【００６３】
本実施形態では、ベース部１１上に制御ユニット１４が搭載されているため、取付ベース４の外部に制御ユニット１４を設置する場合に比べて構成の簡素化を図ることができる。
【００６４】
そして、本実施形態の表示装置１では、上述した光出射ユニット２及び取付ベース４を備えているため、低コストで、多様な表示を行うことができる商品性の高い表示装置１を提供できる。
【００６５】
本実施形態では、光出射ユニット２の前方に光透過領域６５を有する表示部３が配置されるので、光出射ユニット２から出射された光が光透過領域６５を通って表示装置１の前方に出射される。これにより、表示部３のうち光透過領域６５のみをあたかも浮かび上がらせた魅力的な画像を表示することができる。
【００６６】
なお、上述した実施形態では、導光板３３が矩形板状に形成されている場合について説明したが、この構成のみに限らず、適宜変更が可能である。この場合、導光板３３は、例えば図８に示すような三角形状の他に、丸形状や星形状等であっても構わない。また、各導光板３３を組み合わせて一つの図形等を形成しても構わない。
また、上述した実施形態では、導光板３３の第１側部に発光部４２を配設した場合について説明したが、この構成のみに限らず、発光部４２の配設位置は適宜変更可能である。また、図９に示すように、導光板３３における対向する側部等にそれぞれ発光部４２を配設しても構わない。
【００６７】
また、例えば図１０に示すように、制御基板２１上にディップスイッチ（スイッチ）７１を実装しても構わない。すなわち、ディップスイッチ７１の各スイッチのオン、オフ操作によって、メス側コネクタ２６に接続された光出射ユニット２（発光部４２）への電力供給の選択をしても構わない。これにより、コネクタ２６，４４の着脱操作を伴わずに、光出射ユニット２のオン、オフの切り替えを行うことができるので、操作性を向上させることができる。
【００６８】
さらに、ディップスイッチ７１の切り替えにより発光パターンを選択できるように構成しても構わない。この場合には、コネクタ２６，４４の着脱操作を伴わずに、光出射ユニット２の発光パターンの切り替えを行うことができるので、操作性を向上させることができる。
さらに、上述した実施形態では、コネクタ配線２５を介して制御基板２１とメス側コネクタ２６とが接続された構成について説明したが、この構成のみに限らず、制御基板２１にメス側コネクタ２６を直接実装しても構わない。
【００６９】
（第２実施形態）
図１１は、第２実施形態に係る表示装置１００において、表示部３を取り外した状態を示す正面図である。第２実施形態では、導光板３３に配設された凸部１７０がベース部１１１に形成された凹部１５０，１５１に着脱可能に嵌合する点で上述した実施形態と相違している。なお、以下の説明では、上述した実施形態と同様の構成については同一の符号を付して説明を省略する。
図１１に示す表示装置１００において、取付ベース１０４のベース部１１１の前面には、第１凹部（第２取付部）１５０及び第２凹部（第２取付部）１５１が形成されている。第１凹部１５０及び第２凹部１５１は、左右方向に間隔をあけて交互に形成されている。各凹部１５０，１５１は、ベース部１１１の前面から後方に窪むとともに、上下方向におけるベース部１１１の全体に亘って延在している。なお、凹部１５０，１５１は、左右方向に延在する構成であっても構わない。
【００７０】
図１２は、図１１のＸＩＩ−ＸＩＩ線に沿う断面図である。
図１２に示すように、各凹部１５０，１５１は、上下方向に直交する断面形状が例えば矩形状に形成されている。各凹部１５０，１５１のうち、第１凹部１５０の内面には、＋側電極１５３が形成されている。＋側電極１５３は、第１凹部１５０の内面全体に亘って形成されている。第２凹部１５１の内面には、−側電極１５４が形成されている。−側電極１５４は、第２凹部１５１の内面全体に亘って形成されている。なお、各電極１５３，１５４は、取付ベース１０４に搭載された図示しない制御ユニットに接続されている。
【００７１】
図１１に示すように、光出射ユニット１０２の導光板３３の各角部のうち第１角部（図示の例では、左下角部）には、端子台１６０が設けられている。端子台１６０には、後方に向けて接続ピン（＋側接続ピン１６１及び−側接続ピン１６２）が突設されている。各接続ピン１６１，１６２には、発光部４２から引き出された配線１６３，１６４がそれぞれ接続されている。各接続ピン１６１，１６２は、左右方向において、上述した第１凹部１５０及び第２凹部１５１間の間隔と同等の間隔をあけて配置されている。
【００７２】
図１２に示すように、各接続ピン１６１，１６２のうち、＋側接続ピン１６１は、第１凹部１５０内に進入するとともに、第１凹部１５０内で＋側電極１５３に電気的に接続されている。また、−側接続ピン１６２は、第２凹部１５１内に進入するとともに、第２凹部１５１内で−側電極１５４に電気的に接続されている。
【００７３】
図１１に示すように、導光板３３の各角部には後方に向けて突出する凸部（第１取付部）１７０がそれぞれ配設されている。
【００７４】
図１３は、図１１のＸＩＩＩ−ＸＩＩＩ線に沿う断面図である。
図１３に示すように、各凸部１７０は、弾性変形可能な材料（例えば、樹脂材料やゴム材料）等により形成されている。本実施形態において、各凸部１７０は、一つの角部に対して例えば２つずつ配設されている。一つの角部に配設された凸部１７０同士は、左右方向において、上述した第１凹部１５０及び第２凹部１５１間の間隔と同等の間隔をあけて配置されている。各凸部１７０は、上述した各凹部１５０，１５１のうち、前後方向で対向する凹部１５０，１５１に嵌合されている。なお、凸部１７０は、導光板３３の各角部に１つ又は３つ以上配設されていても構わない。
【００７５】
本実施形態の表示装置１００において、光出射ユニット１０２を取付ベース１０４に取り付ける際には、各第１凹部１５０のうち、一の第１凹部１５０内に光出射ユニット１０２の＋側接続ピン１６１を進入させる。また、各第２凹部１５１のうち、一の第１凹部１５０に隣接する第２凹部１５１内に−側接続ピン１６２を進入させる。これにより、第１凹部１５０内において＋側電極１５３と＋側接続ピン１６１とが電気的に接続され、第２凹部１５１内において−側電極１５４と−側接続ピン１６２とが電気的に接続される。
【００７６】
続いて、光出射ユニット１０２の各凸部１７０を上述した各凹部１５０，１５１内に嵌合させる。これにより、光出射ユニット１０２が取付ベース１０４上に取り付けられる。
【００７７】
本実施形態では、上述した第１実施形態と同様の作用効果を奏することに加え、凹部１５０，１５１内に凸部１７０を嵌合させるだけで、光出射ユニット１０２を取付ベース１０４に着脱可能に取り付けることができる。
しかも、本実施形態では、各凹部１５０，１５１が上下方向に延在しているため、光出射ユニット１０２が取付ベース１０４に取り付けられた状態で、光出射ユニット１０２を上下方向に移動させることもできる。すなわち、光出射ユニット１０２の上下操作に伴い、各凸部１７０が凹部１５０，１５１の内面を摺動することで、光出射ユニット１０２を上下方向に移動させることができる。これにより、取付ベース１０４上における光出射ユニット１０２の位置の微調整等を行い易くなる。
【００７８】
本実施形態では、各凹部１５０，１５１の内面に電極１５３，１５４が形成されているため、発光部４２と制御ユニットとの配線の引き回しによって光出射ユニット１０２のレイアウトに制約を受けることがない。そのため、光出射ユニット１０２のレイアウトの自由度を向上させることができる。
【００７９】
なお、上述した実施形態では、凹部１５０，１５１の内面に電極１５３，１５４が形成された構成について説明したが、電極１５３，１５４が形成されていない構成（発光部４２と制御ユニットとを別途の配線で接続する構成）であっても構わない。
上述した実施形態では、取付ベース１０４に凹部１５０，１５１を形成し、光出射ユニット１０２に凸部１７０を形成した構成について説明したが、これとは逆に、取付ベース１０４に凸部を形成し、光出射ユニット１０２に凹部を形成しても構わない。
上述した実施形態では、凸部１７０が凹部１５０，１５１内に嵌合されることで位置決めされる構成について説明したが、接続ピン１６１，１６２が凹部１５０，１５１内に嵌合されることで位置決めされる構成であっても構わない。
【００８０】
上述した実施形態では、凹部１５０，１５１が上下方向に延在する構成について説明したが、この構成のみに限られない。例えば、ベース部１１１上において、上下方向及び左右方向に間隔をあけて複数の凹部を形成し、これら凹部のうち何れかの凹部に光出射ユニット１０２の凸部を嵌合させる構成であっても構わない。    
【００８１】
上述した実施形態では、凹部１５０，１５１及び凸部１７０が矩形状に形成された構成について説明したが、この構成のみに限らず、例えば図１４に示すように、凹部１８０及び凸部１８１をＴ字状に形成しても構わない。具体的に、凹部１８０の内面には、対向する内側面に向けて突出するストッパ１８２が形成されている。一方、凸部１８１の先端部には、基端部に対して拡幅された係合部１８３が形成されている。
この構成によれば、凹部１８０内に凸部１８１が収容された状態で、凸部１８１の係合部１８３と、凹部１８０のストッパ１８２と、が前後方向で係合することになる。そのため、取付ベース１０４に対する光出射ユニット１０２の前方への移動を規制することができる。なお、図１４の構成では、例えばスペーサ１２及び額縁部１３の一部を取り外して凸部１８１を凹部１８０内に進入させることで、光出射ユニット１０２と取付ベース１０４とを着脱できるようにしても構わない。
なお、光出射ユニットと取付ベースとの着脱方法は、上述した方法の他、種々の方法を採用できる。例えば、粘着剤等で光出射ユニットと取付ベースとを着脱しても構わない。
また、本実施形態において凹部１５０、１５１並びに凹部１８０、１８１は底部を備える溝として説明してきたが、これに限られず、前後方向に貫通している溝であっても構わない。
【００８２】
（第３実施形態）
図１５は、第３実施形態に係る表示装置２００において、表示部３を取り外した状態を示す正面図である。第３実施形態では、発光部２４２が取付ベース２０４に搭載されている点で上述した実施形態と相違している。
図１５に示す表示装置２００において、光出射ユニット２０２は、導光板３３と、導光板側取付部３５と、を有している。なお、ベース部１１上における光出射ユニット２０２のレイアウトや数等は適宜変更が可能である。なお、本実施形態においては導光板３３の外周面には、導光板の外周面からの光の漏洩を抑制するための反射シート（不図示）等は配設されていない。
【００８３】
取付ベース２０４は、ベース部１１の外周部分に沿って配設された枠部２１２を備えている。枠部２１２における左右方向の内側を向く内側面に、発光部２４２が配設されている。発光部２４２は、基板２４２ａ上に複数の発光素子２４２ｂが上下方向に配列されて構成されている。各発光素子２４２ｂは、左右方向の内側に向けて光を出射可能とされている。
【００８４】
本実施形態において、発光素子２４２ｂから左右方向の内側に向けて出射された光は、導光板３３の外周面のうち左右方向の外側を向く部分から導光板３３内に入射する。導光板３３内に入射した光は、導光板３３内を伝播する過程で拡散や反射されることで、導光板３３の前面（光出射面）から前方に出射される（面発光する）。その後、導光板３３の前面から出射した光は、表示部３を通して表示装置２００の外部に出射される。
【００８５】
本実施形態では、取付ベース２０４に発光部２４２を搭載することで、光出射ユニット２０２に発光部を搭載する場合に比べて、取付ベース２０４上における配線の引き回しが容易になる。そのため、配線の引き回し等によって光出射ユニット２０２のレイアウトに制約を受けることがなく、光出射ユニット２０２のレイアウトの自由度を向上させることができる。
また、各光出射ユニット２０２に発光部をそれぞれ搭載する場合に比べて、構成の簡素化や低コスト化を図ることができる。
【００８６】
なお、本実施形態では、枠部２１２における左右方向の内側を向く内側面に発光部２４２に配設した場合について説明したが、上下方向の内側を向く内側面に発光部を配設しても構わない。また、例えば図１６に示すようにベース部１１上を仕切壁２６０によって複数の領域に仕切り、仕切壁２６０に発光部２４２を配設しても構わない。
【００８７】
（第４実施形態）
図１７は、第４実施形態に係る表示装置３００を説明するためのブロック図である。本実施形態では、各発光部４２の発光パターンを切り替える操作部３５０を有している点で上述した実施形態と相違している。
図１７に示す表示装置３００は、操作部３５０と、制御ユニット３１４と、光出射ユニット２と、を有している。
操作部３５０は、例えば取付ベース４の後面等に配設される。なお、操作部３５０には、例えば機械式スイッチ（例えば、押し下げ操作や回転操作等が可能なスイッチ）やタッチセンサ等を採用できる。
【００８８】
制御ユニット３１４は、パターン切替部（例えば、エフェクト切替部３５１や明るさ切替部３５２）と、制御部３５３と、を有している。
各切替部３５１，３５２は、操作部３５０による発光パターンの切替操作を検出する。各切替部３５１，３５２は、操作部３５０による切替操作が行われた場合に、選択された発光パターンに応じた検出信号を制御部３５３に出力する。
【００８９】
制御部３５３は、切替部３５１，３５２から出力された検出信号に基づき、発光パターンの切替操作が行われたことを判断する。また、制御部３５３は、図示しない記憶部に記憶された発光パターン情報から検出信号に応じた情報を取得し、発光部４２に出力する。これにより、発光部４２は、操作部３５０の操作に応じた発光パターンで発光する。
【００９０】
この構成によれば、操作部３５０を介して発光パターンを切り替えることができる。そのため、例えば上述した実施形態のようにコネクタ２６，４４の接続位置を変更したり、制御ユニットの発光パターンのプログラムを改めて書き込んだりする場合に比べて簡単、かつ速やかに好みの発光パターンに切り替えることができる。
【００９１】
なお、本発明の技術範囲は上述した実施形態に限定されるものではなく、本発明の趣旨を逸脱しない範囲において種々の変更を加えることが可能である。
例えば、上述した実施形態では、一つの発光部を構成する全ての発光素子が一つの発光パターンに倣って発光する構成について説明したが、この構成のみに限られない。例えば、一つの発光部を構成する発光素子を、異なる発光パターンで発光する複数の素子群に区分けしても構わない。
この構成によれば、各素子群で異なる発光パターン（例えば、発光間隔や強度、発光色、エフェクト等）で発光させることで、より魅力的な表示を行うことができる。なお、素子群とは、同一の発光パターンで発光する発光素子同士のことをいう。そのため、発光部における発光素子の配列順等は適宜変更が可能である。すなわち、異なる素子群を構成する発光素子同士を交互に配列したり、同一の素子群を構成する発光素子同士をまとめて配列したりしても構わない。
【００９２】
上述した実施形態では、ベース部上に光出射ユニットのみが取り付けられた構成について説明したが、この構成のみに限られない。例えば、ベース部上に時計を搭載しても構わない。また、各種センサ（照度センサや人感センサ等）を取付ベースに搭載して、センサの検出に応じて発光部をオン、オフ制御しても構わない。また、センサの検出に応じて発光パターンを制御するように構成しても構わない。
【００９３】
上述した実施形態では、光出射体が発光部から出射された光を間接的に出射させる導光板である場合について説明したが、この構成のみに限られない。例えば、無機ＥＬシート等、光を直接出射させる部材を光出射体としても構わない。
また、光出射体が可撓性を有する材料により形成されていても構わない。この構成によれば、光出射体がベース部の取付面に倣って配置されるため、例えばベース部を任意の形状に形成することができる。この場合、上述した実施形態では、表示装置の全体が平面状である構成について説明したが、この構成のみに限らず、曲面状等に形成しても構わない。
【００９４】
その他、本発明の趣旨を逸脱しない範囲で、上述した実施形態における構成要素を周知の構成要素に置き換えることは適宜可能であり、また、上述した各変形例を適宜組み合わせても構わない。
【符号の説明】
【００９５】
１…表示装置
２…光出射ユニット
２Ａ…光出射ユニット
３…表示部
４…取付ベース
１１…ベース部
１４…制御ユニット
１５…ベース側取付部（第２取付部）
２６…メス側コネクタ（コネクタ）
３１…ガイド部
３３…導光板（光出射体）
３５…導光板側取付部（第１取付部）
４１…収容溝
４２…発光部
４２ｂ…発光素子
４３…発光部配線（配線）
４４…オス側コネクタ（コネクタ）
７１…ディップスイッチ（スイッチ）
１００…表示装置
１０２…光出射ユニット
１０４…取付ベース
１１１…ベース部
１５０…第１凹部（第２取付部）
１５１…第２凹部（第２取付部）
１７０…凸部（第１取付部）
２００…表示装置
２０２…光出射ユニット
２０４…取付ベース
２１２…枠部
２４２…発光部
２４２ｂ…発光素子
３００…表示装置
３１４…制御ユニット
【図１】
2018084639.tif 000003
【図２】
2018084639.tif 000004
【図３】
2018084639.tif 000005
【図４】
2018084639.tif 000006
【図５】
2018084639.tif 000007
【図６】
2018084639.tif 000008
【図７】
2018084639.tif 000009
【図８】
2018084639.tif 000010
【図９】
2018084639.tif 000011
【図１０】
2018084639.tif 000012
【図１１】
2018084639.tif 000013
【図１２】
2018084639.tif 000014
【図１３】
2018084639.tif 000015
【図１４】
2018084639.tif 000016
【図１５】
2018084639.tif 000017
【図１６】
2018084639.tif 000018
【図１７】
2018084639.tif 000019